(57)【要約】【課題】狭い範囲での按摩（点的按摩）ではなく、広い面積を同時に按摩すること（面的按摩）が可能で、人体の曲線に対応して変化可能なポータブル按摩装置。【解決手段】複数の凹部（１４０）が設けられた面部（１２１ａ）を有するベース部と、前記各凹部（１４０）にそれぞれ固定され、収容空間を有する保持部材（１３０）と、前記保持部材（１３０）の前記収容空間内に収容されて保持され、一部が前記収容空間の外部に露出し、前記収容空間において回動自在である玉（１１０ａ）と、を有する。前記玉（１１０ａ）は、金属、磁石、鉱石、木材又は樹脂のうち、何れか一つ、又は、これらの組合せからなるものである。【選択図】図１
0003128690.tif 000002
【実用新案登録請求の範囲】
【請求項１】
複数の凹部（１４０）が設けられた面部（１２１ａ）を有するベース部と、
前記各凹部（１４０）にそれぞれ固定され、収容空間を有する保持部材（１３０）と、
前記保持部材（１３０）の前記収容空間内に収容されて保持され、一部が前記収容空間の外部に露出し、前記収容空間において回動自在である玉（１１０ａ）と、を有すること
を特徴とするポータブル按摩装置。
【請求項２】
前記玉（１１０ａ）は、金属、磁石、鉱石、木材又は樹脂のうち、何れか一つ、又は、これらの組合せからなるものであることを特徴とする請求項１に記載のポータブル按摩装置。
【請求項３】
前記ベース部は、ハンドル（１２２）が設けられた台座（１２０ａ）であることを特徴とする請求項１又は請求項２に記載のポータブル按摩装置。
【請求項４】
前記ベース部は、円柱体（１２０ｂ）、又は、可撓性シート（１２０ｃ）で構成されることを特徴とする請求項１又は請求項２に記載のポータブル按摩装置。
【考案の詳細な説明】
【技術分野】
【０００１】
本考案は、按摩装置に係り、特に、複数の回動自在の玉が設けられたポータブル按摩装置に関するものである。
【背景技術】
【０００２】
按摩というのは、手または按摩装置で筋肉を揉みほぐすことにより、血行を促進し、神経機能を調整し、筋肉のストレスを緩和することであり、従来から種々の按摩装置が提案されている。その一例として、特にローラ形状の按摩装置が、台湾特許第５９５４７２号「棒形状磁性按摩装置」において提案されている。その主な構成としては、ロッド形状の円筒が一つ設けてあり、その両端の開口が先窄まり状に縮径された縮径部を有し、また、内部の中央に仕切板が設けられて、該円筒の内部が二つの収容空間に仕切られている。また、そのうちの一つの収容空間にはバネが設けてあり、前記バネが、先端に球面窪みを持つ磁石に対して付勢し、前記磁石の前記球面窪みと、前記円筒の前記縮径部との間には一つの按摩用玉が設けられ、前記按摩用玉の一部は前記縮径部から突出している。また、前記円筒の他端の収容空間の内側にも磁石が設けてあり、前記磁石と前記円筒の前記縮径部との間には、複数本の按摩用凸部を持つ押えブロックが設けてあり、前記按摩用凸部が前記縮径部から突出している。
【０００３】
このように一端だけに按摩用玉を備えた「棒形状磁性按摩装置」の他にも、台湾特許第Ｍ２８４３８２号「玉付き按摩棒」のようなものも提案されている。その主な構成は、ハンドルを有し、前記ハンドルの両側の開口に按摩部がそれぞれ設けられている。前記各按摩部には直径の異なった係合溝がそれぞれ凹設され、前記各係合溝の両側には一つの外係止段と一つの内係止段とが設けられ、外係止段と内係止段とが按摩用玉に緊迫するように、前記各係合溝に按摩用玉がそれぞれ設けられている。このような構成にしたことにより、按摩用玉と係合溝とにより自在空間が形成され、且つ前記自在空間において按摩用玉が回動自在となり、按摩効果の向上が図られている。
【０００４】
また、中国特許第９８２４８８８９．０号「玉付き按摩装置」はローラ形状按摩装置のもう一つの発明であって、その主な構成は、ハンドルと取付台と取付ヘッドとを含み、前記取付台にはＵ字形スライド溝が設けられ、前記取付ヘッドは、片状を呈し、中段がアーチ形状を呈し、前記アーチには外側に突出する半球状窪みが三つ形成されている。前記取付ヘッドが前記取付台のＵ字形スライド溝に取り付けられ、玉の一部が前記半球状窪みから突出して外部に露出し、玉の他部が半球状窪みと回動自在に嵌合されている。
【０００５】
また、米国特許第５６３７０６５号、米国特許第５９３５０８９号、米国特許第５８６８６８９号、米国特許第４５５４９１１号および中国特許第９２２３８６７１．４号などもローラ形状按摩装置に関連する提案である。
【考案の開示】
【考案が解決しようとする課題】
【０００６】
しかしながら、従来の按摩装置では、同時に按摩可能な範囲が極めて狭い面積に限定されてしまい（点的按摩）、広い面積を同時に按摩すること（面的按摩）ができないという欠点があった。
【０００７】
本考案の主な目的は、点的按摩の代わりに面的按摩を可能にし、また、人体の曲線に対応して変化可能なポータブル按摩装置を提供することにある。
【課題を解決するための手段】
【０００８】
上記目的を達成するためになされた本考案のポータブル按摩装置は、複数の凹部が設けられた面部を有するベース部と、前記各凹部にそれぞれ嵌合され、収容空間を有する保持部材と、前記保持部材の前記収容空間内に収容されて保持され、一部が前記収容空間の外部に露出し、前記収容空間において回動自在である玉と、を有することを要旨としている。
【０００９】
また、本考案のポータブル按摩装置では、前記玉は、金属、磁石、鉱石、木材又は樹脂のうち、何れか一つ、又は、これらの組合せからなるものであることを特徴とする。
【００１０】
また、本考案のポータブル按摩装置では、前記ベース部は、ハンドルが設けられた台座であることを特徴とする。
【００１１】
また、本考案のポータブル按摩装置では、前記ベース部は、円柱体、又は、可撓性シートで構成されることを特徴とする。
【考案の効果】
【００１２】
本考案のポータブル按摩装置によれば、従来の按摩装置のような狭い範囲での按摩（点的按摩）ではなく、広い面積を同時に按摩すること（面的按摩）が可能となるため、点的按摩の代わりに面的按摩を可能にし、そして人体の曲線に対応して変化可能である効果がある。
【考案を実施するための最良の形態】
【００１３】
以下、添付図面を参照して本考案の好適な実施の形態を詳細に説明する。
【００１４】
まず、図１と図２を参照して、第１の実施形態について説明する。図１は、本考案の第１の実施形態によるポータブル按摩装置の外観斜視図、図２は、本考案の第１の実施形態によるポータブル按摩装置の組合状態を示す断面図である。
【００１５】
本考案の実施例１のポータブル按摩装置１００は、複数の玉１１０ａと、一つのベース部とを有している。前記玉１１０ａは、球体で構成されており、その材質としては、金属、磁石、鉱石、木材や樹脂の何れか一つによって作製してもよいし、また、これらを組み合わせて作製してもよい。
【００１６】
前記ベース部は、図１に示すように、台座１２０ａにハンドル１２２が設けられた構成とすれば、作業性の向上が図れるため好適であるが、本考案における前記ベース部は、これに限るものではなく、ハンドル１２２が設けられない台座で構成しても良い（図に示さず）。
【００１７】
前記台座１２０ａは、面部１２１ａと、前記面部１２１ａに設けられた複数の凹部１４０とを有している。面部１２１ａは、同時に広範囲にわたって按摩作業を行うことができるような所定面積であればよく、凹部１４０（及び保持部材１３０、玉１１０ａ）を複数設けることができるのに十分な面積とする。なお、前記台座１２０ａは、一体成形とすることによって、製造コストの削減を図ることができ好適であるが、分割形成されていてもよい。
【００１８】
前記面部１２１ａに設けられた凹部１４０には、玉１１０ａを保持するための保持部材１３０が嵌合して固定される。保持部材１３０は、略円筒状に形成されており、凹部１４０と嵌合して固定可能な嵌合部１３０ａと、玉１１０ａを収容して保持し収容空間を形成する玉保持部１３０ｂとを有する。玉保持部１３０ｂは、玉１１０ａを点接触、線接触又は面接触によって保持すればよいが、特に、点接触又は線接触による保持が好適である。図２に示すように、本実施形態では、玉保持部１３０ｂの収容空間内に縮径された縮径部１３０ｂ１が構成されており、縮径部１３０ｂ１が玉１１０ａとＰ１において点接触又は線接触している。さらに、玉保持部１３０ｂの開口近傍にも縮径部１３０ｂ２が構成されており、縮径部１３０ｂ２が玉１１０ａとＰ２において面接触している。
【００１９】
前記玉１１０ａは、前記保持部材１３０の玉保持部１３０ｂによって収容空間内に保持されて脱落が規制される。さらに、玉１１０ａの一部が前記収容空間の外部に露出するように保持されるため、外部に露出した玉１１０ａが按摩対象（人体の各部位）に接触することによって、前記収容空間において玉１１０ａが回動自在となっている。ここで、玉保持部１３０ｂが、玉１１０ａを点接触又は線接触によって保持するようにすれば、玉１１０ａと玉保持部１３０ｂとの摩擦部分が少なくなるため、収容空間における玉１１０ａの回動が更に容易となり、按摩効果の向上を図ることができる。
【００２０】
このような実施形態によれば、ユーザーが手で前記ハンドル１２２を握って複数の玉１１０ａを持つ面部１２１ａを皮膚に押圧しながら水平に往復動すると、これらの複数の玉１１０ａが皮膚と接触することによる摩擦力により、保持部材１３０の玉保持部１３０ｂの収容空間内を回動し、按摩が実施される。
【００２１】
次に、図３を参照して、第２の実施形態について説明する。図３は、本考案の第２の実施形態によるポータブル按摩装置の外観斜視図である。尚、第１の実施形態と同一の構造及び同一の作用に係る部分については、同一の符号を付すこととして、その詳細な説明を省略する。
【００２２】
第２の実施形態によるポータブル按摩装置１００の面部１２１ｂは、中央部が窪む曲面が形成されており、かつ、前記曲面にも、保持部材１３０に保持された玉１１０ａが複数配置されている。したがって、第２の実施形態によるポータブル按摩装置１００によれば、前記面部１２１ｂの中央部の前記曲面が人体の各部位の構造に対応して、腕または肩などの細かい部位に対しても十分な按摩を施すことができるようになる。
【００２３】
次に、図４を参照して、第３の実施形態について説明する。図４は、本考案の第３の実施形態によるポータブル按摩装置の外観斜視図である。尚、第１の実施形態と同一の構造及び同一の作用に係る部分については、同一の符号を付すこととして、その詳細な説明を省略する。
【００２４】
ベース部は、滑止具１２３を持つ円柱体１２０ｂであり、前記円柱体１２０ｂの両端に面部１２１ｂがそれぞれ一つ設けてあり、前記面部１２１ｂには複数の玉１１０ａ，１１０ｂが配置されている。玉１１０ａ，１１０ｂは、寸法が異なってもよく、例えば本実施形態では、面部１２１ｂの中央に配置された玉１１０ｂの寸法は、周辺に配置された玉１１０ａよりも大きく設定されている。これにより、力を加えるポイントが複数になり、按摩効果が向上になる。また、前記円柱体１２０ｂの周面を面部として構成してもよい。そうすると、複数の玉１１０ａが、前記円柱体１２０ｂの周面、すなわち面部１２１ｄに配置されることとなり、この実施形態は図６に示した杖のようなものに適用可能となる。
【００２５】
次に、図５を参照して、第４の実施形態について説明する。図５は、本考案の第４の実施形態によるポータブル按摩装置の外観斜視図である。尚、第１の実施形態と同一の構造及び同一の作用に係る部分については、同一の符号を付すこととして、その詳細な説明を省略する。
【００２６】
第４の実施形態によるポータブル按摩装置のベース部は、可撓性シートによって構成されたものであり、一例としては布１２０ｃを採択することができる。布１２０ｃの少なくとも片面には面部１２１ｃが設けられ、その面部１２１ｃ上に保持部材１３０によって保持された玉１１０ａが複数配置される。このようにベース部が可撓性を有する部材で構成されることにより、人体の各部位の形状にフィットさせて、さらに広範囲の部位を同時に按摩することができることとなる。
【００２７】
また、図７を参照して、第６の実施形態について説明する。図７は、本考案の第４の実施形態によるポータブル按摩装置の外観斜視図である。尚、第１の実施形態と同一の構造及び同一の作用に係る部分については、同一の符号を付すこととして、その詳細な説明を省略する。
【００２８】
本実施形態によるポータブル按摩装置のベース台１２０ｄは、二つのハウジング２１，２２を結合して構成される。ハウジング２１の上面には、面部１２１ａが形成され、面部１２１ｅには保持部材１３０によって保持された玉１１０ａが複数配置される。本実施の形態におけるベース台１２０ｄは、分割形成されたものを説明したが、一体成形されていてもよく、特に限定されるものではない。また、ハウジング２１，２２の結合方式は、係止や粘着など適宜採択可能である。
【００２９】
このように、本考案は、特定の例を参照して説明したが、これらの例は、説明のためだけのものであり、これらの実施の形態に本考案を限定するものではなく、この分野に通常の知識を有する者が、本考案の精神および範囲を逸脱することなく、ここで開示された実施形態に変更、追加、または、削除を施したものは総て含まれるものである。
【図面の簡単な説明】
【００３０】
【図１】本考案の第１の実施形態によるポータブル按摩装置の外観斜視図である。
【図２】本考案の第１の実施形態によるポータブル按摩装置の組合状態を示す断面図である。
【図３】本考案の第２の実施形態によるポータブル按摩装置の外観斜視図である。
【図４】本考案の第３の実施形態によるポータブル按摩装置の外観斜視図である。
【図５】本考案の第４の実施形態によるポータブル按摩装置の外観斜視図である。
【図６】本考案の第５の実施形態によるポータブル按摩装置の外観斜視図である。
【図７】本考案の第６の実施形態によるポータブル按摩装置の外観斜視図である。
【符号の説明】
【００３１】
２１，２２  ハウジング
１００      按摩装置
１１０ａ    玉
１２０ａ    台座（ベース部）
１２０ｂ    円柱体（ベース部）
１２０ｃ    布（ベース部）（可撓性シート）
１２０ｄ    台座（ベース部）
１２１ａ    面部
１２１ｂ    面部
１２１ｃ    面部
１２１ｄ    面部
１２１ｅ    面部
１２２      ハンドル
１２３      滑止具
１３０      保持部材
１３０ａ    嵌合部
１３０ｂ    玉保持部
１３０ｂ１  縮径部
１３０ｂ２  縮径部
１４０      凹部
Ｐ１        点接触又は点接触部分
Ｐ２        面接触部分
【図１】
0003128690.tif 000003
【図２】
0003128690.tif 000004
【図３】
0003128690.tif 000005
【図４】
0003128690.tif 000006
【図５】
0003128690.tif 000007
【図６】
0003128690.tif 000008
【図７】
0003128690.tif 000009